(57)【要約】【課題】取付強度が大きく、展示効果を良好にできる展示用パネル取付具を提供する。【解決手段】複数の接続軸４を有する接続具６Ａで接続して形成した取付基枠１の四隅部に位置する接続具６Ａから同じ方向に突出する非使用接続軸４に取り付けて使用される展示用パネル取付具であって、接続軸４に嵌挿される角パイプからなる基筒１３と、基筒１３の先端部にアーム１４を介して連設されたパネル受け用雌ねじ筒１５と、展示用パネル８のボルト挿通孔８ａから雌ねじ筒１５に螺入されるパネル押え頭１６付き固定ボルト１７とからなり、基筒１３は接続軸４の軸径より稍小さい内径の角孔９を有し、接続軸４の外周面には平面部１０が軸方向に形成され、平面部１０と角孔９の壁面１２とが平行状態で接続軸４に対する基筒１３の挿脱が可能で、角孔９の壁面１２が接続軸４の非平面部１１に接するように基筒１３を回転させることで基筒１３が接続軸４に固定可能となる。【選択図】図２
2010181628.tif 000002
【特許請求の範囲】
【請求項１】
角パイプからなる縦横の枠材を互いに直交する複数の接続軸を有する接続具で接続して形成した取付基枠の四隅部に位置する接続具から同じ方向に突出する非使用接続軸に取り付けて使用される展示用パネル取付具であって、前記接続軸に嵌挿される角パイプからなる基筒と、基筒の先端部の少なくとも一側面に垂設されたアームを介して基筒と平行に連設されたパネル受け用雌ねじ筒と、展示用パネルの四隅部に穿設したボルト挿通孔から雌ねじ筒の先端部側に螺入されるパネル押え頭付き固定ボルトとからなり、基筒は、前記接続軸の軸径より稍小さい内径の角孔を有し、前記接続軸の外周面には平面部が軸方向に形成されていて、この平面部と角孔の壁面とが平行状態で接続軸に対する基筒の挿脱が可能となり、角孔の壁面が接続軸の非平面部に接するように基筒を回転させることにより基筒が接続軸に固定可能となる展示用パネル取付具。
【請求項２】
基筒の先端部内には前記パネル押え頭付き固定ボルトが螺入される雌ねじ部材を設けてなる請求項１に記載の展示用パネル取付具。
【発明の詳細な説明】
【技術分野】
【０００１】
本発明は、各種展示会において所要の取付基枠に展示用パネルを取り付けるのに使用される展示用パネル取付具に関する。
【背景技術】
【０００２】
各種展示会の会場において展示用パネルを取り付けるのに、従来では、縦横の角パイプを互いに直交する複数の接続軸を有する接続具で接続することによって、矩形状の複数の取付基枠を縦横に連続するように形成し、これら取付基枠を例えば室内の間仕切りパネルや基枠固定用架構等に適宜に固定させておいて、必要とする取付基枠内に展示用パネルを嵌め込み、パネルの周辺部をパネル取付金具によって枠を形成する角パイプに取り付け、こうして基枠に直接取り付けた展示用パネルに商品説明用の各種ポスターや写真、種々の装飾ボード等を貼り付けるようにしている。
【発明の概要】
【発明が解決しようとする課題】
【０００３】
上記のようなパネル取付金具による取付方法では、展示用パネルの取付けに非常に手間がかかる上に、パネル取付金具による展示用パネルの取付強度が弱いため、比較的軽い物しか取り付けることができず、例えば最近急速に軽量化が図られている薄型テレビでさえも取付けが困難であった。
【０００４】
本発明は、上記の事情に鑑み、縦横の角パイプを互いに直交する複数の接続軸を有する接続具で接続して形成した基枠の四隅部に位置する接続具から同じ向きに突出する非使用接続軸に簡単に取り付けて使用できると共に、比較的重い展示物も取り付けることができる展示用パネル取付具を提供することを目的とする。
【課題を解決するための手段】
【０００５】
上記課題を解決するための手段を、後述する実施形態の参照符号を付して説明すると、請求項１に係る発明は、角パイプからなる縦横の枠材２，３を互いに直交する複数の接続軸４を有する接続具６Ａ（６Ｂ）で接続して形成した取付基枠１の四隅部に位置する接続具６Ａ（６Ｂ）から同じ方向に突出する非使用接続軸４に取り付けて使用される展示用パネル取付具であって、前記接続軸４に嵌挿される角パイプからなる基筒１３と、基筒１３の先端部の少なくとも一側面に垂設されたアーム１４を介して基筒１３と平行に連設されたパネル受け用雌ねじ筒１５と、展示用パネル８の四隅部に穿設したボルト挿通孔８ａから雌ねじ筒１５の先端部側に螺入されるパネル押え頭１６付き固定ボルト１７とからなり、基筒１３は、前記接続軸４の軸径より稍小さい内径の角孔９を有し、前記接続軸４の外周面には平面部１０が軸方向に形成されていて、この平面部１０と角孔９の壁面１２とが平行状態で接続軸４に対する基筒１３の挿脱が可能となり、角孔９の壁面１２が接続軸４の非平面部１１に接するように基筒１３を回転させることにより基筒１３が接続軸４に固定可能となることを特徴とする。
【０００６】
請求項２は、請求項１に記載の展示用パネル取付具において、基筒１３の先端部内には前記パネル押え頭１６付き固定ボルト１７が螺入される雌ねじ部材１８を設けてなることを特徴とする。
【発明の効果】
【０００７】
上記解決手段による発明の効果を、後述する実施形態の参照符号を付して説明すると、請求項１に係る発明の展示用パネル取付具は、接続具６Ａ（６Ｂ）の接続軸４に嵌挿される角パイプからなる基筒１３と、基筒１３の先端部の少なくとも一側面に垂設されたアーム１４を介して基筒１３と平行に連設されたパネル受け用雌ねじ筒１５と、展示用パネル８の四隅部に穿設したボルト挿通孔８ａから雌ねじ筒１５の先端部側に螺入されるパネル押え頭１６付き固定ボルト１７とからなるもので、基筒１３は、接続軸４の軸径より稍小さい内径の角孔９を有し、接続軸４の外周面には平面部１０が軸方向に形成されていて、平面部１０と角孔９の壁面１２とが平行状態で接続軸４に対する基筒１３の挿脱が可能となり、角孔９の壁面１２が接続軸４の非平面部１１に接するように基筒１３を回転させることにより基筒１３が接続軸４に固定可能となるから、従来のパネル取付金具による取付方法に比べて、取付基枠１に対する展示用パネル８の取付強度が大きく、従って例えば薄型テレビのように比較的重い展示物でも十分に取り付けることができる。また、この展示用パネル取付具によれば、取り付けられる展示用パネル８が取付基枠１から前方又は上方へ突き出た状態となって、取付基枠１と展示用パネル８との間に空間が形成されるため、取付基枠１側から照明を施すことによって、展示用パネル８が取付基枠１から浮き上がるような照明効果と共に立体的な装飾効果が発揮され、展示用パネル８に取り付ける展示物の展示効果がより有効となる。
【０００８】
請求項２に係る発明によれば、基筒１３の先端部内には前記パネル押え頭１６付き固定ボルト１７が螺入される雌ねじ部材１８を設けているから、展示用パネル８の後方から照明が施されるような場合に、基筒１３の先端部の雌ねじ部材１８にパネル押え頭１６付き固定ボルト１７を螺入して取り付けることより、そのパネル押え頭１６で基筒１３の先端部を覆い隠すことができて、基筒１３先端部が展示用パネル８の前面から透けて見えず、展示用パネル８の外観上の体裁を損なうようなことがない。
【図面の簡単な説明】
【０００９】
【図１】(a) は本発明に係る展示用パネル取付具の一実施形態を示す正面図、(b) は図１のＸ−Ｘ線断面図である。
【図２】展示用パネル取付具の使用による展示用パネルの取付状態を説明する斜視図である。
【図３】(a) は角パイプ接続具を示す斜視図、(b) は角パイプ接続具に角パイプを接続した状態及び本発明に係る展示用パネル取付具の取付状態を示す斜視図である。
【図４】(a) は接続軸に角パイプを嵌挿した状態で、角パイプが挿脱可能な状態の断面図、(b) は角パイプが接続軸に固定された状態の断面図である。
【図５】本発明の他の実施形態を示す正面図である。
【図６】(a) は接続具で縦横の枠材を接続して取付基枠を形成している状態を示す斜視図、(b) は接続具に展示用パネル取付具を取り付け、このパネル取付具で展示用パネルを取り付けている状態を示す斜視図である。
【図７】(a-1) は展示用パネル取付具の一例を示す側面図、(a-2) は正面図であり、(b-1) は展示用パネル取付具の他の例を示す側面図、(b-2) は正面図であり、(c-1)は更に他の例を示す側面図、(c-2)は正面図である。
【図８】(a-1) は展示用パネル取付具の更に他の例を示す側面図、(a-2) は正面図である。
【発明を実施するための最良の形態】
【００１０】
以下に本発明の好適な一実施形態を図面に基づいて説明すると、図１の(a) は本発明に係る展示用パネル取付具の一実施形態を示す正面図、(b) は図１のＸ−Ｘ線断面図であり、図２は同パネル取付具の使用による展示用パネルの取付状態を説明する斜視図であり、図３の(a) は角パイプ接続具を示す斜視図、(b) は角パイプ接続具に角パイプを接続した状態及び本発明に係る展示用パネル取付具の取付状態を示す斜視図、図４の(a) は接続軸に角パイプを嵌挿した状態で、角パイプが挿脱可能な状態の断面図、(b) は角パイプが接続軸に固定された状態の断面図である。これらの図において、１は取付基枠で、夫々角パイプからなる縦横の枠材２，３を、接続具本体部５から互いに直交する複数の接続軸４を突出した接続具６Ａで接続することにより形成される。７Ａは本発明に係る展示用パネル取付具であり、８は展示用パネルである。
【００１１】
角パイプからなる縦枠材２及び横枠材３を接続して図２に示すような矩形枠状の取付基枠１を形成する接続具６Ａは、金属材又は強靱な合成樹脂材によって一体形成されたもので、中央部にある接続具本体部５から互いに直交するように三方向に突出する接続軸４を有し、これらの接続軸４に縦枠材２の端部及び横枠材３の端部を嵌挿して縦横の枠材２，３を接続するようになっている。
【００１２】
各接続軸４は、縦横各枠材２，３の端部に開口する角孔９の内径よりも稍大きい軸径を有し、そして各接続軸４の外周面には、周方向の例えば４箇所に平面部１０が軸方向に形成されていて、図４の(a) に示すように、この平面部１０と各枠材２，３の角孔９の壁面１２とが平行状態の時は接続軸４に対する各枠材２，３の挿脱が可能となり、図４の(b) に示すように、角孔９の壁面１２が接続軸４の非平面部（円弧面部）１１に接するように枠材２，３を約４５°回転させることにより、枠材２，３が弾性変形して角孔９の各壁面１２が外側へ押し拡げられ、それにより接続軸４の各非平面部１１が角孔９の各壁面９ａに弾接して、枠材２，３の角孔９が接続軸４に固定されるようになっている。
【００１３】
従って、取付基枠１を形成するには、左右２つの縦枠材２，２と上下２つの横枠材３，３とを４つの接続具６Ａで接続すればよく、この場合、各接続具６Ａは３つの接続軸４を有するから，縦横の枠材２，３の接続には３つの接続軸４のうちの２つを使用し、各接続軸４の残りの接続軸４は同じ方向に突出する非使用接続軸４（縦横枠材２，３の連結には使用されない接続軸）とし、この非使用接続軸４には、以下に説明するように本発明に係る展示用パネル取付具７Ａを取り付け、このパネル取付具７Ａによって展示用パネル８を取り付ける。尚、各枠材２，３を回転させる時には、図３の(b) に仮想線で示すように、各枠材２，３に嵌合する嵌合凹部２３ａを有するヘッド２３に把手２４を取り付けた回転操作具２５を使用する。
【００１４】
展示用パネル取付具７Ａは、図２、図３の(b) 、図７の(a-1) ，(a-2) に示すように、取付基枠１の四隅部に位置する接続具６Ａから同じ方向に突出する非使用接続軸４（縦横枠材２，３の連結には使用されない接続軸）に嵌挿される角パイプからなる基筒１３と、この基筒１３の四側面のうちの一つの側面の先端部に垂直に突設されたアーム１４を介して基筒１３と平行に取り付けられたパネル受け用雌ねじ筒１５と、展示用パネル８の四隅部に穿設されたボルト挿通孔８ａから雌ねじ筒１５の先端側に螺入されるパネル押え頭１６付き固定ボルト１７とから構成される。展示用パネル８のボルト挿通孔８ａの内径は、固定ボルト１７の外径より僅かに大きく、且つ雌ねじ筒１５の外径より小さい。また、展示用パネル８は、透明又は半透明あるいは不透明な合成樹脂材、あるいは木材やアルミニウム材によって形成される。
【００１５】
基筒１３は、取付基枠１を形成する縦横の枠材２，３と同じサイズの角パイプからなるもので、縦横の枠材２，３と同様に接続軸４の軸径よりも稍小さい内径の角孔９を有し、この角孔９の壁面１２と接続軸４の平面部１０とが平行状態の時に接続軸４に対する基筒１３の挿脱が可能となり、角孔９の平面部１０が接続軸４の非平面部１１に接するように基筒１３を回転させることによって基筒１３が接続軸４に固定可能となる。
【００１６】
この基筒１３の先端部内にはパネル押え頭１６付き固定ボルト１７が螺入されるナットのような雌ねじ部材１８が溶接によって挿着されている。
【００１７】
上記のように構成される展示用パネル取付具７Ａを使用して展示用パネル８を取り付けるには、図２に示すように、取付基枠１の四隅部に位置する４つの接続具６Ａから夫々同じ方向に突出する非使用接続軸４に夫々展示用パネル取付具７Ａの基筒１３を嵌挿して、雌ねじ筒１５が取付基枠１の正面側から見てこの取付基枠１の内方側へ突入するように（図２参照）固定する。この展示用パネル取付具７Ａの取付けにあたっては、例えば図３の(b) から分かるように、展示用パネル取付具７Ａの基筒１３を、これの角孔９の壁面１２が接続軸４の平面部１０と平行な状態で基筒１３を接続具６Ａの非使用接続軸４に嵌挿した後、接続具６Ａを固定したまま、基筒１３を同図に示す回転操作具２５を使用して４５°回転させることにより、基筒１３は、図４の(a) に示すような状態から、基筒１３の弾性変形により角孔９の各壁面１２が外側へ押し拡げられて、(b) に示すように接続軸４の各非平面部１１が角孔９の各壁面９ａに弾接され、接続軸４に固定された状態となる。
【００１８】
こうして取付基枠１の四隅部に位置する４つの接続具６Ａから夫々同じ方向に突出する非使用接続軸４に展示用パネル取付具７Ａの基筒１３を嵌挿固定した状態を図２に示し、この状態から、展示用パネル８を取付基枠１に近づけて、展示用パネル８の四隅部に設けてある各ボルト挿通孔８ａからパネル押え頭１６付き固定ボルト１７を各展示用パネル取付具７Ａのパネル受け用雌ねじ筒１５に螺入する。この場合、展示用パネル８のボルト挿通孔８ａの内径は、固定ボルト１７の外径より僅かに大きく、パネル受け用雌ねじ筒１５の外径より小さいから、固定ボルト１７を締付回転させることにより、展示用パネル８は、図１の(b) に示すように、固定ボルト１７のパネル押え頭１６でパネル受け用雌ねじ筒１５側へ押されて、パネル押え頭１６とパネル受け用雌ねじ筒１５の先端面とで挟着固定される。この展示用パネル８の取付状態を図１の(a) に示す。
【００１９】
図１の(b) に示すように、展示用パネル８は、４つの展示用パネル取付具７Ａによって取付基枠１の前面側に取り付け固定される。こうして展示用パネル取付具７Ａで取付基枠１の前面側に取り付けられた展示用パネル８は、展示用パネル取付具７Ａによる展示用パネル８の取付部の強度が大きいことから、例えば薄型テレビのように比較的重い展示物１９（図１の(a) ，(b) 参照）でも取り付けることができる。また、この展示用パネル取付具７Ａによれば、取り付けられる展示用パネル８が取付基枠１から前方へ突き出た状態となって、取付基枠１と展示用パネル８との間に空間が形成されるため、取付基枠１側から照明を施した場合に、展示用パネル８が取付基枠１から浮き上がるような照明効果と共に立体的な装飾効果が発揮され、展示用パネル８に取り付ける展示物の展示効果がより一層有効となる。
【００２０】
尚、基筒１３の先端部内にはパネル押え頭１６付き固定ボルト１７が螺入される雌ねじ部材１８を設けているが、展示用パネル８が透明又は半透明の合成樹脂材からなる場合に、後方から照明が施されることがあるが、その場合に基筒１３の先端部が展示用パネル８の前面から透けて見えて体裁が悪くなることから、そのような事態を避けるために、図１の(b) の仮想線図示のように、雌ねじ部材１８にパネル押え頭１６付き固定ボルト１７を螺入して取り付けることより、そのパネル押え頭１６で基筒１３の先端部を覆い隠すことができて、基筒１３先端部が展示用パネル８の前面から透けて見えなくなり、従って展示用パネル８の外観上の体裁を損なうようなことがない。
【００２１】
また、図１の(b) 及び図７の(a-1) に示すように、基筒１３の先端は、雌ねじ筒１５の先端よりも若干引っ込んでいるため、上記のように基筒１３の先端部の雌ねじ部材１８にパネル押え頭１６付き固定ボルト１７をねじ込んで取り付ける時に、展示用パネル８を貫通させることなく、パネル押え頭１６を図１の(b) に示すようにパネル８の裏側に納めることができ、基筒１３先端部へのパネル押え頭１６付き固定ボルト１７の取付けが容易となる。
【００２２】
図５は本発明の他の実施形態を示す正面図であり、図６の(a) は接続具６Ｂで縦枠材２及び横枠材３を接続して取付基枠１を形成している状態を示す斜視図、(b) は接続具６Ｂに展示用パネル取付具７を取り付け、この展示用パネル取付具７で展示用パネル８を取り付けている状態を示す斜視図である。ここに示す接続具６Ｂは、前記接続具６Ａと同じく金属材又は強靱な合成樹脂材により一体形成されたもので、中央部にある接続具本体部５から互いに直交する上下と左右と前方との五方向に接続軸４が突設されていて、これらの接続軸４に縦枠材２の端部及び横枠材３の端部を嵌挿して縦横の枠材２，３を接続することにより、取付基枠１を縦横に連続して形成するようにしたものである。
【００２３】
この接続具６Ｂの接続軸４は、前記接続具６Ａの接続軸４と全く同じで、縦横各枠材２，３の端部に開口する角孔９の内径より稍大きい軸径を有し、各接続軸４の外周面には、周方向の４箇所に平面部１０が軸方向に形成されていて、図４の(a) に示すように、平面部１０と各枠材２，３の角孔９の壁面１２とが平行状態の時は接続軸４に対する各枠材２，３の挿脱が可能となり、図４の(b) に示すように、角孔９の壁面１２が接続軸４の非平面部１１に接するように枠材２，３を約４５°回転させると、弾性変形により角孔９の各壁面１２が外側へ押し拡げられて接続軸４の各非平面部１１が角孔９の各壁面９ａに弾接し、それにより枠材２，３の角孔９が接続軸４に固定されることになる。
【００２４】
従って、左右２つの縦枠材２，２と上下２つの横枠材３，３とを接続具６Ｂで順次接続していくことにより、取付基枠１を縦横に連続して形成することができる。この場合、各接続具６Ｂは５つの接続軸４を有するから，上下左右の枠材２，３の接続には５つの接続軸４のうちの４つを使用すればよく、各接続具６Ｂの残り１つの接続軸４は同じ方向に突出する非使用接続軸４となり、この非使用接続軸４に、以下に説明するような本発明に係る展示用パネル取付具７Ｄを取り付けて、展示用パネル８を取り付ける。
【００２５】
展示用パネル取付具７Ｄは、図６の(b) 及び図８の(a) ，(b) に示すように、各取付基枠１の四隅部に位置する接続具６Ｂから同じ方向に突出する非使用接続軸４（縦横枠材２，３の連結には使用されない接続軸）に嵌挿される角パイプからなる基筒１３と、この基筒１３の四側面の夫々の先端部に垂直に突設されて十字状を成す４つのアーム１４を介して基筒１３と平行に取り付けられた４つのパネル受け用雌ねじ筒１５と、各展示用パネル８の四隅部に穿設されたボルト挿通孔８ａから雌ねじ筒１５の先端側に螺入されるパネル押え頭１６付き固定ボルト１７とからなるもので、展示用パネル８のボルト挿通孔８ａの内径は、固定ボルト１７の外径より僅かに大きく、且つ雌ねじ筒１５の外径より小さい。各基筒１３の先端部内にはパネル押え頭１６付き固定ボルト１７が螺入されるナットのような雌ねじ部材１８が挿着されている。
【００２６】
上記のような構成の展示用パネル取付具７Ｄにより展示用パネル８を取り付けるには、図５及び図６の(b) に示すように、各取付基枠１の四隅部に位置する接続具６Ｂから夫々同じ方向に突出する非使用接続軸４に夫々展示用パネル取付具７Ｄの基筒１３を嵌挿して固定する。この展示用パネル取付具７Ｄの取付けにおいては、基筒１３を、これの角孔９の壁面１２が接続軸４の平面部１０と平行な状態で基筒１３を接続具６Ｂの非使用接続軸４に嵌挿した後、接続具６Ｂを固定した状態で基筒１３を回転操作具２５を使用して４５°回転させることにより、基筒１３は、図４の(a) に示すような状態から、基筒１３の角孔９の各壁面１２が外側へ押し拡げられて、(b) に示すように接続軸４の各非平面部１１が角孔９の各壁面９ａに弾接され、接続軸４に固定される。
【００２７】
こうして各取付基枠１の四隅部に位置する４つの接続具６Ｂから夫々同じ方向に突出する非使用接続軸４に展示用パネル取付具７Ｄの基筒１３を嵌挿固定した状態状態から、展示用パネル８を取付基枠１に近づけて、展示用パネル８の四隅部に設けてあるボルト挿通孔８ａからパネル押え頭１６付き固定ボルト１７を展示用パネル取付具７Ｄのパネル受け用雌ねじ筒１５に螺入して締付回転させることにより、各展示用パネル８は、図１の(b) に示すように、パネル押え頭１６とパネル受け用雌ねじ筒１５の先端面とで挟着固定される。このように上下左右に連続して複数形成された取付基枠１に夫々展示用パネル８を取り付けた状態を図５に示す。
【００２８】
この図５に示される実施形態では、上下左右に連続する複数の取付基枠１が同一平面状に形成されているため、これらの取付基枠１に取り付けられる上下左右に連続する複数の展示用パネル８も同一平面状に取り付けられるが、上下左右に連続する複数の取付基枠１を互いに直交する二つの平面部に沿うように形成した場合は、展示用パネル８は、その直交する二平面部に沿って上下左右に連続するように取り付けられることになる。
【００２９】
また、上述した実施形態では、取付基枠１を水平面に対し垂直な面に沿うように形成しているが、取付基枠１は水平面に沿うように形成する場合もあるし、水平面に対し傾斜した傾斜面に沿うように形成する場合もあり、従ってそのような場合、取付基枠１に取り付けられる展示用パネル８も、水平面状や傾斜面状に形成されることなる。
【符号の説明】
【００３０】
１            取付基枠
２，３        縦横の枠材
４            接続軸
６Ａ，６Ｂ    接続具
７Ａ〜７Ｄ    展示用パネル
８            展示用パネル
９            角孔
１０          平面部
１１          非平面部
１２          角孔の壁面
１３          基筒
１４          アーム
１５          雌ねじ筒
【図１】
2010181628.tif 000003
【図２】
2010181628.tif 000004
【図３】
2010181628.tif 000005
【図４】
2010181628.tif 000006
【図５】
2010181628.tif 000007
【図６】
2010181628.tif 000008
【図７】
2010181628.tif 000009
【図８】
2010181628.tif 000010